(57)【特許請求の範囲】
【請求項１】
統合型ヘルメットであって、
可動バイザと、
顔面の低い部分を保護し、前記バイザにより密閉可能な開口部の低部限界を画定する保護要素(１)と、
前記ヘルメット内で前記バイザの上下動を行うことのできる作動装置と、
モータ駆動システム（Ｍ）、電源（Ｂ）、電子制御回路（Ｃ）とを備え、
前記作動装置は、前記電子制御回路（Ｃ）に接続された少なくとも１つの電極を有し、前記保護要素内で前記電極と顔の一部あるいは口から飛び出した舌（Ｌ）の接触を可能として、それにより前記電子制御回路により発生された電気信号を前記モニタシステムを作動させる、ことを特徴とする統合型ヘルメット。
【請求項２】
舌（Ｌ）との直接の接触によって短絡することができる少なくとも２つの高インピーダンス、低電流の電極(２)を備えたことを特徴とする請求項１に記載の統合型ヘルメット。
【請求項３】
前記電極は、右の電極（２ａ）、左の電極（２ｃ）および前記電子制御回路（Ｃ）の接地に接続された中央電極（２ｂ）とを含むことを特徴とする請求項２に記載の統合型ヘルメット。
【請求項４】
一方側は前記制御回路（Ｃ）のコンデンサ（Ｋ）に接続され、他方側は顔の可動部あるいは舌（Ｌ）に直接的な電気的接触あるいは容量効果により生ずる静電的影響により接続される少なくとも一つの自由電極（２）を備えたことを特徴とする請求項１に記載の統合型ヘルメット。
【請求項５】
前記装置はそれぞれバイザの上昇と降下に対応する２つの自由電極（２ａ、２ｂ）を備えたことを特徴とする請求項４に記載の統合型ヘルメット。
【請求項６】
前記制御回路(C)は、直列接続されたインバータＣＭＯＳ増幅器（Ａ）およびブリッジ形態で搭載されたトランジスタ（Ｔ）を介してモータ駆動システム（Ｍ）に接続されたことを特徴とする請求項１ないし５のいずれかに記載の統合型ヘルメット。
【請求項７】
前記電源（Ｂ）はヘルメットの内張材料内に集積されていることを特徴とする請求項１ないし６のいずれかに記載の統合型ヘルメット。
【発明の詳細な説明】
【０００１】
【発明の属する技術分野】
本発明は、顔面または舌の可動部を通して、統合型ヘルメットのバイザ（庇）の作動を許容する装置に関する。
【０００２】
統合型ヘルメットは、通常、手動で交換できるバイザによってふさがれ得る開口部を画定する、顔面の低い部分を保護するための要素を提供する。
【０００３】
この装置は、オートバイ運転者にバイザを上下するために片手でモーターバイクのハンドルバーを開放し、このバイザのマーク（見えない）を認識することを強要する。
【０００４】
公知の解決は、電源により電力を供給されてバイザの位置をずらすことのできる、ラックなどの上のモータ駆動化されたシステムを含む。このシステムは、同じ様にヘルメットに手を触れることを含むヘルメット上の電気的接触、またはワイヤあるいは最終的にハンドルバーでの遠隔制御による遠隔的接触を含む制御により駆動される。
【０００５】
【発明が解決しようとする課題】
しかし、この後者の解決（それは最適であるが）は、ヘルメットの外側で、他の電源によって電力が供給されるシステムを必要とする。
【０００６】
ＵＳＰ５２９７２９７に記載されている型式の制御も存在する。この制御は、ヘルメット着用者の息によって作動され、そして、第１の柱が固定された第１の接触プレートとして構成され、第２の柱がコイルばねの自由端取り付けられた導通板として構成される電気スイッチを含む。
【０００７】
このプレートはオリフィス（開口部）のネットワークの後方で、着用者によって吹きつけられ、開口部を通過することができる空気の流れに対して垂直に取り付けられている。
【０００８】
ヘルメット着用者の息から生じている圧力がプレートを変位させて接触器に接触し、電気回路を閉じるために用いられる。
【０００９】
しかし、この装置では、プレートと接触器間の電気接触を、バイザの上昇あるいは下降ストロークに対応する持続期間だけ確保することは、かなり長い時間吹くことを必要とするために簡単ではない。
【００１０】
それに加えて、プレートに集中させるために吹きつけは正確でなければならず、ばねの抵抗に打ち勝つために十分に強力でなければならない。このことはヘルメット着用者のかなりの身体的な努力を必要とする。これらの状況の下では、この制御の信頼性は、非常に低い。
【００１１】
本発明による装置は、これらの技術的課題を解決することを目的とする。
【００１２】
【課題を解決するための手段】
この目的は、統合型ヘルメットバイザの作動装置によって達成される。
【００１３】
本発明にかかる統合型ヘルメットは、可動バイザと、顔面の低い部分を保護し、前記バイザにより密閉可能な開口部の低部限界を画定する保護要素(１)と、前記ヘルメット内で前記バイザの上下動を行うことのできる作動装置と、モータ駆動システム（Ｍ）、電源（Ｂ）、電子制御回路（Ｃ）とを備え、前記作動装置は、前記電子制御回路（Ｃ）に接続された少なくとも１つの電極を有し、前記保護要素内で前記電極と顔の一部あるいは口から飛び出した舌（Ｌ）の接触を可能として、それにより前記電子制御回路により発生された電気信号を前記モニタシステムを作動させる、ことを特徴とする。
【００１４】
第１の実施の形態によれば、装置は舌との直接の接触によって短絡することができる、少なくとも２本の高インピーダンスで低電流の電極を含む。
【００１５】
装置は好ましくは右の電極、左の電極および回路の接地に接続された中央電極を含む。
【００１６】
他の実施の形態によれば、装置は少なくとも一つの自由電極を有しており、これは一方では、制御回路のコンデンサに接続されて、他方では顔面の可動部あるいは舌に直接電気接触または容量性の効果を生じさせる静電的な影響により接続されるようにされている。
【００１７】
装置は、好ましくはそれぞれバイザの上昇および降下に対応する２つの自由電極を含む。
【００１８】
有利な特徴によれば、前記制御回路は直列接続されたインバータＣＭＯＳ増幅器およびブリッジ型式で搭載されたトランジスタによってモニタシステムに接続されている。
【００１９】
有利な特徴によれば、電源は、ヘルメットの内張材料内に統合される。
【００２０】
他の特徴によれば、前記電極は、保護要素中に口に対向して配置されている。
【００２１】
したがって、制御は顔面または舌の可動部によって実行される。限定されない実施の形態として、制御は、バイザを開閉するために短絡される高インピーダンスで低電流の２つの左右の電極、あるいはバイザを開閉するための容量効果の２つの左右の電極により行われる。
【００２２】
非制限的な実施の形態として、電子回路はインバータCMOS増幅器の入力側に直列、すなわち飽和状態に、あるいは２つのトランジスタのいずれか一方がブリッジ型式で接続することができる。
【００２３】
電源を構成している電池のアセンブリは、ヘルメットのフォーム部に埋設される。
【００２４】
【発明の実施の形態】
本発明は、添付の図面を参照して以下の説明を読むことにより、容易に理解される。
【００２５】
図１および２に示されるヘルメットは、顔面および特にあごの下部を保護するための要素１を有するフロントに提供される統合型ヘルメットである。
【００２６】
保護要素１は、一般に口から短い距離に配置される曲線の断面によって構成されて、下方へバイザ（図示せず）によってふさがれる得る開口部またはウインドウを画定している。
【００２７】
本発明の装置は、このバイザを作動させることを目的とするものである。
【００２８】
そのために、この装置はウィンドウの上開放位置と下閉止位置との間でバイザを動かすことを可能にする、電源（１つまたは複数の電池）Ｂによって電力を供給されるモータ駆動システムＭを備えている。
【００２９】
モータ駆動システムＭおよび電源Ｂはヘルメットの構造を形成している堅いシェルのライニング（内張）材料（フォーム）内に統合されており、したがって、見えない。そして、これが全体的な美的な外観を保存する。
【００３０】
モータ駆動システムＭは、ヘルメットのケース内に同様に取り付けられる電子制御回路Ｃに接続されている。
【００３１】
制御回路Ｃは、この回路に接続され、保護要素１内に配置されて、口に対向して位置する少なくとも一つの電極２と顔面の可動部（あご、唇等）または舌との電気接続により活性化される。
【００３２】
図１の実施の形態においては、本発明の装置は、３つの高インピーダンスで低電流の電極２ａ、２ｂ、２ｃを備えている。 両端の電極２ａ、２ｃは、例えばヘルメット着用者の舌Ｌとの直接の接触によって短絡することができ、一方では、中央電極２ｂは回路の接地に接続されている。
【００３３】
これらの３つの電極は図３に示されるタイプの電子回路Ｃに電気的に接続され、ここでモータ駆動システムＭへの接続は直列接続されたインバータＣＭＯＳ増幅器Ａおよびブリッジ型式で搭載されたトランジスタを介して実現される。
【００３４】
回路Ｃの閉成は、モータ駆動システムの供給および舌の組織を通して非常に低い直流を通過させることによるバイザの変位をもたらす。
【００３５】
図２の実施の形態において、装置は少なくとも１つ、ここでは、２つの自由電極２ａ、２ｂを有しており、これらのそれぞれは一方では、制御回路ＣのコンデンサＫに接続され、他方では、顔面の可動部または舌Ｌへの直接電気接触または容量性の効果を発生させる静電的な影響により接続されるようにされている。
【００３６】
２つの電極２ａ、２ｂは、それぞれヘルメットのバイザの上昇および降下と対応している。
【００３７】
この場合、電極はあるいわゆる「空中に」あり、そして、コンデンサＫは電極の他の導電要素とのいかなる電気的結合カップリングの非存在下では、いかなる電流も発生しない。
【００３８】
人体のようないかなる絶縁された導電材料も、空中の電極との接触による、あるいは単純な静電的な「影響」により、この材料が接続されるコンデンサによる漏洩電流を確実にすることができる電子の貯蔵体とみなされることができる。
【００３９】
コンデンサが交流（通常の応用については約１００キロヘルツ）を供給される場合、この電流は直流に整流によって変換されることができ、したがって本発明の作動装置は動作させることができる。
【００４０】
図４Ａおよび４Ｂは、容量性モードの制御回路において使われることを目的とする２つの変形例の電子アセンブリを示す。
【００４１】
これらのアセンブリは、コンデンサＫを通過する電流を使用し、電流の漏洩を変換した連続する信号のＳを生成する。この信号のＳは、図３と同等の相補的な電子アセンブリによって処理される。
【００４２】
図４ｂのアセンブリは、発振回路の限界ミスマッチング（critical mismatching）の原理を使用する。
【００４３】
モータ駆動システムＭは、交流の周波数の変化による振動の減衰によりトリガされる。
【００４４】
この周波数変化は、ここでは人体によって形成される追加の電気容量の発振回路への接続によって発生する。
【図面の簡単な説明】
【図１】  本発明の装置の第１の実施の形態を含む統合型ヘルメットのあご-保護要素の高さ位置における横断面図を示す。
【図２】  本発明の装置の第２の実施の形態を含む統合型ヘルメットのあご要素の高さ位置における横断面図を示す。
【図３】  本発明の装置の第１の実施の形態に用いられることができる電子制御回路を示す。
【図４Ａ】  本発明の装置の第２の実施の形態のために使われることができる電子制御回路の部分の第１の変形例を示す。
【図４Ｂ】  本発明の装置の第２の実施の形態のために使われることができる電子制御回路の部分の第２の変形例を示す。
【符号の説明】
１  保護要素
２ａ，２ｂ、２ｃ  電極
Ａ  インバータＣＭＯＳ増幅器
Ｂ  電源
Ｃ  制御回路
Ｋ  コンデンサ
Ｌ  舌
Ｍ  モータ駆動システム
Ｓ  信号
Ｔ  トランジスタ
【図１】
0004149135.tif 000002
【図２】
0004149135.tif 000003
【図３】
0004149135.tif 000004
【図４Ａ】
0004149135.tif 000005
【図４Ｂ】
0004149135.tif 000006